(57)【特許請求の範囲】
【請求項１】
電池から供給される電力を消費することで他の通信装置と信号の送受信を行う通信部と、
前記信号の送受信の指令を受けた場合に、前記電池からの電力を前記通信部に供給する状態にして、前記信号の送受信が可能な動作状態に前記通信部を移行させ、前記信号の送受信が完了した場合に、前記電池から前記通信部への電力供給を遮断した状態にして、前記信号の送受信が不可能な休止状態に前記通信部を移行させる通信移行部と、
前記信号より先に送信される受信指令を前記他の通信装置から受信した場合、前記受信指令からトリガを生成し、前記トリガを前記通信移行部へ出力することで、前記通信移行部に前記通信部を前記休止状態から前記動作状態へ移行させる起動部と、を備え、
前記起動部は、
キャパシタおよびダイオードを用いた電力供給が不要な倍電圧整流回路によって、前記受信指令からトリガを生成する、
ことを特徴とする通信装置。
【請求項２】
操作を受け付ける操作部と、
前記電池から供給される電力を消費することで、前記操作部の操作に応じた前記信号を生成し、前記通信移行部に送信指令を行って前記通信部に前記信号を送信させる制御を実行すると共に、前記通信部を介して前記他の通信装置から受信した前記信号に応じた制御を実行する制御部と、
前記操作部による操作があった場合、または前記通信部を介して前記信号を受信した場合に、前記制御部を、前記制御に必要な電力の消費が可能な通常消費状態に移行させ、前記制御部による前記制御が完了した場合、前記制御部を、前記制御に必要な電力よりも低減した電力の消費に留める低消費状態に移行させる制御移行部と、
を備えていることを特徴とする請求項１に記載の通信装置。
【請求項３】
前記制御部は、
クロック信号を出力するクロック部と、
前記クロック部から出力されるクロック信号に基づいて前記制御に関する処理を実行する中央処理装置を備え、
前記制御移行部は、
前記クロック部が出力するクロック信号の周波数を低下させることで、前記中央処理装置による前記処理の実行能力を低下させて、前記制御部を、前記低消費状態に移行させることを特徴とする請求項２に記載の通信装置。
【請求項４】
前記起動部は、
前記受信指令から生成した前記トリガを前記制御移行部に出力する構成とすることで、前記制御移行部に、前記制御部を前記低消費状態から前記通常消費状態へ移行させるものである、
ことを特徴とする請求項２または３に記載の通信装置。
【請求項５】
前記電池は、
二次電池であり、
前記他の通信装置から送信される電波を受信する受信部と、
前記受信部が受信した電波を整流して前記二次電池を充電する充電部と、
を備えていることを特徴とする請求項１から４のいずれか一項に記載の通信装置。
【請求項６】
請求項１から５のいずれか一項に記載の通信装置と、前記通信装置とは別体であり、電源から供給される交流電力を消費して動作する他の通信装置とを有する電子機器。
【請求項７】
前記他の通信装置は、
前記他の通信装置の制御を実行する処理部と、
前記処理部で実行中の制御内容を記憶する記憶部と、
前記処理部による制御に従い、対象物を電磁誘導により加熱する加熱部と、
前記加熱部の漏洩磁束を電気へ変換し、前記変換した電気を蓄電する蓄電部と、
を備え、
前記処理部は、
前記交流電力の供給が途絶えた場合に、前記蓄電部に蓄電された電気を利用して、前記実行中の制御内容を前記記憶部に記憶させる実行処理記憶部と、
前記交流電力の供給が再開した場合に、前記記憶部に記憶された制御内容を読み出し、前記実行中であった制御を再開する実行処理再開部と、
を備えていることを特徴とする請求項６に記載の電子機器。
【請求項８】
電池から供給される電力を消費することで他の通信装置と信号の送受信を行う通信部を備える通信装置が、前記送受信の指令を受けた場合に、前記電池から供給される電力を前記通信部で消費可能な状態にして、前記通信部による前記信号の送受信を可能な動作状態とし、前記送受信が完了した場合に、前記電池から供給される電力を前記通信部で消費不可能な状態にして、前記通信部による前記信号の送受信を不可能な休止状態とする通信移行ステップと、
前記通信装置が、前記信号より先に送信される受信指令を前記他の通信装置から受信した場合、キャパシタおよびダイオードを用いた電力供給が不要な倍電圧整流回路に前記受信指令からトリガを生成させ、そのトリガを出力させることで、前記通信移行ステップに前記通信部を前記休止状態から前記動作状態へ移行させる起動ステップと、
を含むことを特徴とする通信方法。
【請求項９】
通信装置を制御するコンピュータに、
電池から供給される電力を消費することで他の通信装置と信号の送受信を行う通信機能、
前記送受信の指令を受けた場合に、前記電池から供給される電力を前記通信機能で消費可能な状態にして、前記通信機能による前記信号の送受信を可能な動作状態とし、前記送受信が完了した場合に、前記電池から供給される電力を前記通信機能で消費不可能な状態にして、前記通信機能による前記信号の送受信を不可能な休止状態とする通信移行機能、
前記信号より先に送信される受信指令を前記他の通信装置から受信した場合、キャパシタおよびダイオードを用いた電力供給が不要な倍電圧整流回路に前記受信指令からトリガを生成させ、そのトリガを出力させることで、前記通信移行機能に前記通信機能の状態を前記休止状態から前記動作状態へ移行させる起動機能、
を実現させるプログラム。
【発明の詳細な説明】
【技術分野】
【０００１】
本発明は、通信装置、電子機器、通信方法、およびプログラムに関する。
【背景技術】
【０００２】
例えば、電子炊飯器のように、本体と、その本体に接続される別体の蓋とを有する電子機器において、取り扱い易さを向上させるために（手入れの容易性や収納の省スペース化を向上させるために）、本体から蓋を取り外し可能にする技術として、特許文献１に記載の電子炊飯器がある。
【０００３】
この特許文献１に記載の電子炊飯器は、蓋に内蔵される装置（例えば、マイコンから出力される信号を送信すると共に、本体からの信号を受信する光信号カプラ等）を電池駆動とし、蓋に内蔵された光通信カプラと本体に内蔵された光通信カプラとの間で非接触通信を可能に構成することで、本体から蓋を取り外し可能としている。
【先行技術文献】
【特許文献】
【０００４】
【特許文献１】特開昭６０−１４７８０４号公報
【発明の概要】
【発明が解決しようとする課題】
【０００５】
特許文献１に記載の電子炊飯器では、本体との送受信を常時行えるよう、蓋に内蔵される光通信カプラ等を常時、動作状態としている。このため、電池の消耗が著しいという問題点があった。
【０００６】
本発明は、上記実情に鑑みてなされたものであり、電池の消耗を抑制することを可能とする通信装置、電子機器、通信方法、およびプログラムを提供することを目的とする。
【課題を解決するための手段】
【０００７】
上記目的を達成するために、この発明に係る通信装置の通信部は、電池から供給される電力を消費することで他の通信装置と信号の送受信を行う。通信移行部は、信号の送受信の指令を受けた場合に、電池からの電力を通信部に供給する状態にして、信号の送受信が可能な動作状態に通信部を移行させ、信号の送受信が完了した場合に、電池から通信部への電力供給を遮断した状態にして、信号の送受信が不可能な休止状態に通信部を移行させる。起動部は、信号より先に送信される受信指令を他の通信装置から受信した場合、受信指令からトリガを生成し、トリガを通信移行部へ出力することで、通信移行部に通信部を休止状態から動作状態へ移行させる。また、起動部は、キャパシタおよびダイオードを用いた電力供給が不要な倍電圧整流回路によって、受信指令からトリガを生成する。
【発明の効果】
【０００８】
本発明によれば、信号の送受信が完了した場合に、電池から通信部への電力供給を遮断するので、電池の消耗を抑制することができる。
【図面の簡単な説明】
【０００９】
【図１】本発明の実施形態に係る電子炊飯器の概略図である。
【図２】第１の実施形態に係る電子炊飯器のブロック図である。
【図３】（ａ）は、第１の実施形態に係る処理部の構成図であり、（ｂ）は、第１の実施形態に係る制御部の構成図である。
【図４】本体の共振回路から送信される信号の模式図である。
【図５】第１の実施形態に係る制御部で実行される操作処理のフローチャートである。
【図６】第１の実施形態に係る制御部で実行される受信処理のフローチャートである。
【図７】第１の実施形態に係る処理部で実行されるメイン処理のフローチャートである。
【図８】第２の実施形態に係る電子炊飯器のブロック図である。
【図９】第２の実施形態に係る制御部の構成図である。
【図１０】第２の実施形態に係る制御部で実行される充電処理のフローチャートである。
【図１１】第３の実施形態に係る電子炊飯器のブロック図である。
【図１２】第３の実施形態に係る蓄電部の構成図である。
【図１３】第３の実施形態に係る処理部の構成図である。
【図１４】第３の実施形態に係る処理部で実行される記憶処理のフローチャートである。
【図１５】第３の実施形態に係る処理部で実行される復帰処理のフローチャートである。
【発明を実施するための形態】
【００１０】
（第１の実施形態）
以下、本発明の第１の実施形態に係る電子機器の一つである電子炊飯器１を、図面を参照して説明する。
【００１１】
電子炊飯器１は、炊飯を行う機器であり、図１に示すように、本体１０と、本体１０とは別体の蓋２０と、を備えている。
【００１２】
本体１０は、供給される交流電力を消費することで動作する。具体的には、本体１０は、炊飯の材料を入れる鍋状容器３０を収容し、例えば白米と水が入った鍋状容器３０を加熱コイル１０１で加熱することで、炊飯を行う。本体１０は、更に、共振回路１０４を内蔵し、この共振回路１０４を用いて、蓋２０との非接触通信を行う通信装置としても機能する。
【００１３】
蓋２０は、鍋状容器３０の開口部を覆う、本体２０とは別の筐体であり、本体１０と脱着可能に構成される。蓋２０は、電池から供給される電力を消費することで動作し、炊飯の状態や炊飯完了時間（炊き上がり時間）を操作部２０２で設定すると、その情報を、表示部２０１に表示する。また、蓋２０は、操作部２０２で設定した情報を、内蔵した共振回路２０４から本体１０の共振回路１０４へ、非接触通信により送信する通信装置としても機能する。
【００１４】
蓋２０に内蔵された共振回路２０４および本体１０に内蔵された共振回路１０４は、蓋２０を本体１０に取り付けた場合、お互いが対抗する位置に配置されている。よって、共振回路１０４および共振回路２０４は、蓋２０が本体１０に取り付けられた状態である場合、非接触通信が可能である。
【００１５】
なお、この蓋２０は防水加工が施されているので、水に濡れても、その水が蓋２０の内部へ侵入することがない。よって、蓋２０を丸洗いでき、清潔感を保つことができる。
【００１６】
電子炊飯器１、具体的には、本体１０および蓋２０は、図２のブロック図の構成となる。ブロック図では、電力線を実線で記載し、信号線を矢印線で記載している。
【００１７】
本体１０は、加熱コイル１０１と、インバータ部１０２と、通信部１０３と、共振回路１０４と、処理部１０５と、バスラインＢＬと、を備えている。
【００１８】
加熱コイル１０１は、コイル（インダクタ）から構成され、インバータ部１０２と電気的に接続されている。加熱コイル１０１は、インバータ部１０２から出力される高周波電力により、本体１０に収容された鍋状容器３０の底部に電磁誘導による渦電流を誘起させ、その誘起した渦電流により発生するジュール熱によって、鍋状容器３０を、炊飯時或いは保温時に過熱する。
【００１９】
インバータ部１０２は、加熱コイル１０１、通信部１０３、処理部１０５、バスラインＢＬおよびＡＣ電源（商用１００Ｖ電源）５０と電気的に接続されている。インバータ部１０２は、ＡＣ電源５０からの交流電力を直流電力（直流電圧および直流電流）に変換し、その直流電力を、通信部１０３および処理部１０５へ供給する。これに加え、インバータ部１０２は、変換した直流電力から高周波電力を生成し、その高周波電力を、バスラインＢＬを介した処理部１０５の制御に従って、加熱コイル１０１へ供給する。
【００２０】
通信部１０３は、インバータ部１０２、共振回路１０４およびバスラインＢＬと電気的に接続されており、インバータ部１０２から供給される直流電力を消費して、共振回路１０４を介して受信した信号を復調する。そして、通信部１０３は、その復調信号を、バスラインＢＬを介して、処理部１０５へ出力する。
【００２１】
また、通信部１０３は、インバータ部１０２から供給される直流電力を消費して、処理部１０５から出力された信号を変調し、その変調信号を、共振回路１０４を介して蓋２０（後述する共振回路２０４）へ送信する。この変調方式は、例えば、ＡＳＫ（Amplitude Shift Keying）方式や、ＰＳＫ（Phase Shift Keying）方式、ＦＳＫ（Frequency Shift Keying）方式、ＱＡＭ（Quadrature Amplitude Modulation）方式等である。
【００２２】
共振回路１０４は、通信部１０３と電気的に接続されている。共振回路１０４は、インダクタとキャパシタとを並列接続した回路より構成され、蓋２０に内蔵された後述する共振回路２０４との間で、共振を発生させ、この共振に伴う電磁誘導により無線通信を行う。なお、この共振回路１０４は、電力を消費しない受動素子で構成されているため、インバータ部１０２からの電力供給は不要である。
【００２３】
処理部１０５は、インバータ部１０２およびバスラインＢＬと電気的に接続されている。処理部１０５は、インバータ部１０２から供給される直流電力を消費して制御を行う。具体的には、処理部１０５は、蓋２０へ送信する信号を生成し、その信号を、バスラインＢＬを介して通信部１０３へ出力し、通信部１０３に信号を変調させて送信させる制御を行う。また、処理部１０５は、蓋２０から送信された信号を、通信部１０３に復調させ、復調した信号を、バスラインＢＬを介して受信し、受信した信号に応じた制御を行う。また、処理部１０５は、加熱コイル１０１への高周波電力の供給を、バスラインＢＬおよびインバータ部１０２を制御して行う。
【００２４】
処理部１０５は、図３（ａ）に示す通り、ＣＰＵ（Central Processing Unit）１０６と、ＲＯＭ（Read only Memory）１０７と、図示しないＲＡＭ（Random Access Memory）を備えている。
【００２５】
ＣＰＵ１０６は、ＲＯＭ１０７に格納されたプログラム（例えば、後述する図７のメイン処理）を実行する。
【００２６】
図２に示すバスラインＢＬは、インバータ部１０２、通信部１０３および処理部１０５を、相互に接続する。
【００２７】
蓋２０は、表示部２０１と、操作部２０２と、通信部２０３と、共振回路２０４と、制御部２０５と、起動部２０６と、電池２０７と、通信移行部２０８と、制御移行部２０９と、バスラインＢＬと、を備えている。
【００２８】
表示部２０１は、電池２０７およびバスラインＢＬと電気的に接続され、制御部２０５からバスラインＢＬを介して受け取った情報を表示する。表示部２０１は、例えば、炊飯メニューや炊飯完了までの時間を表示する。この表示部２０１は、表示する情報を変更する場合（書き換える場合）にのみ、電池２０７から供給される直流電力を消費し、表示する情報を保持する場合には、電池２０７から供給される直流電力を消費しない電気泳動式のディスプレイ（例えば、電子ペーパー）である。
【００２９】
操作部２０２は、バスラインＢＬと接続され、例えば、炊飯開始ボタンやメニューボタン、炊飯時間設定ボタンや決定ボタン等を備えている。操作部２０２による操作が行われると、制御部２０５は、入力されたボタンを特定し、特定したボタンに対応した制御を行うと共に、特定したボタンに対応した表示を表示部２０１へ表示する。なお、この操作部２０２は、電力を消費しない受動素子で構成されているため、電池２０７からの電力供給は不要である。
【００３０】
通信部２０３は、共振回路２０４、電池２０７、通信移行部２０８およびバスラインＢＬと電気的に接続されている。通信部２０３には、電池２０７から供給される電力を消費することで、共振回路２０４を介した本体１０との信号の送受信が可能な動作状態と、電池からの電力供給が遮断されることで、共振回路２０４を介した本体１０との信号の送受信が不可能な休止状態との２つの状態がある。
【００３１】
なお、通信部２０３は、操作部２０２の操作により信号の送信指令があった場合、或いは、本体１０からの信号（受信指令）が共振回路２０４で受信され、起動部２０６から起動信号が出力された場合に、動作状態となる。
【００３２】
この動作状態では、通信部２０３は、共振回路２０４を介して受信した信号を、電池２０７から供給される電力を消費して復調し、その復調信号を、バスラインＢＬを介して、制御部２０５へ出力する。また、通信部２０３は、電池２０７から供給される電力を消費して、制御部２０５から出力された信号を変調し、その変調信号を、共振回路２０４を介して、本体１０の共振回路１０４へ送信する。
【００３３】
一方、通信部２０３は、本体１０への信号の送信、または本体１０からの信号の受信が完了した場合に、休止状態となる。
【００３４】
共振回路２０４は、通信部２０３および起動部２０６と電気的に接続されている。共振回路２０４は、インダクタとキャパシタとを並列接続した回路より構成され、本体１０に内蔵された共振回路１０４との間で、共振を発生させ、この共振に伴う電磁誘導により通信を行う。この共振回路２０４は、電力を消費しない受動素子で構成されているため、電池２０７からの電力供給は不要である。
【００３５】
制御部２０５は、電池２０７、制御移行部２０９およびバスラインＢＬと電気的に接続されている。電池２０７から供給される直流電力を消費して制御を行う。具体的には、制御部２０５は、操作部２０２の操作が行われた場合、その操作が信号送信を示すものであれば、その操作に応じた信号を生成し、制御移行部２０９に送信の指令を行って通信部２０３を動作状態にする。そして、制御部２０５は、生成した信号を、バスラインＢＬを介して通信部２０３へ出力し、通信部２０３に信号を変調させて送信させる制御を行う。また、制御部２０５は、本体１０から送信された信号を共振回路２０４が受信した場合、その信号を、動作状態となった通信部２０３に復調させ、復調した信号を、バスラインＢＬを介して受信し、受信した信号に応じた制御を行う。また、制御部２０５は、操作部２０２の操作が行われた場合、その操作が表示変更を示すものであれば、バスラインＢＬを介して、表示部２０１の表示を変更する制御を行う。
【００３６】
制御部２０５には、上述した制御（信号を送信する一連の制御、信号受信後の一連の制御および表示変更の一連の制御）に必要な電力の消費が可能な通常消費状態と、上述した制御に必要な電力よりも低減した電力の消費に留める低消費状態との２つの状態がある。
【００３７】
なお、制御部２０５は、操作部２０２の操作が行われた場合、または本体１０からの信号（受信指令）が共振回路２０４で受信され、起動部２０６から起動信号が出力された場合に、通常消費状態となる。このとき、制御部２０５は、消費電流が数ｍＡ〜十数ｍＡ程度の直流電流を消費する。
【００３８】
一方、制御部２０５は、上述した制御（信号を送信する一連の制御、信号受信後の一連の制御および表示変更の一連の制御）が完了した場合に、低消費状態となる。このとき、制御部２０５は、数μＡ程度の直流電流を消費する。
【００３９】
制御部２０５は、図３（ｂ）に示す通り、ＣＰＵ２１１と、フラッシュメモリ２１２と、クロック部２１３と、図示しないＲＯＭを備えている。
【００４０】
ＣＰＵ２１１は、ＲＯＭに格納されたプログラム（例えば、後述する図５〜図６のフローチャートで示す処理）を実行する。
【００４１】
フラッシュメモリ２１２は、表示部２０１に表示させる情報等を記憶する。
【００４２】
クロック部２１３は、ＣＰＵ２１１にクロック信号を出力する。制御部２０５が通常消費状態から低消費状態となる場合、クロック部２１３は、出力するクロック信号を、制御部２０５が通常消費状態である場合よりも低速化した（周波数を下げた）低速状態とする。これにより、ＣＰＵ２１１によるプログラムの実行能力（処理速度）を低下させ、制御部２０５は、低消費状態となる。
【００４３】
一方、制御部２０５が低消費状態から通常消費状態となる場合、クロック部２１３は、出力するクロック信号を、通常状態へ戻す（周波数を上げる）。これにより、ＣＰＵ２１１によるプログラムの実行能力が通常状態へ戻り、制御部２０５は、通常消費状態となる。
【００４４】
なお、制御部２０５は、ＣＰＵ２１１がＲＯＭに格納したプログラムを実行することにより、制御増加部２１４と、制御低減部２１５と、通信起動部２１６と、通信休止部２１７と、の機能を実現する。
【００４５】
制御増加部２１４は、ユーザにより操作部２０２の操作が行われた場合、制御移行部２０９へ増加トリガを出力し、クロック部２１３が出力する低速状態のクロック信号を通常状態へ移行させる。これにより、制御増加部２１４は、制御部２０５を、低消費状態から通常消費状態へ移行する。
【００４６】
なお、制御部２０５が、低消費状態から通常消費状態へ移行するのは、本体１０からの信号（受信指令）が共振回路２０４で受信され、起動部２０６から起動信号が出力された場合もあるが、この場合は、起動信号が制御移行部２０９へ出力されることで、クロック部２１３が出力する低速状態のクロック信号を通常状態へ移行させる。これについては後述する。
【００４７】
制御低減部２１５は、上述した制御部２０５による制御（信号を送信する一連の制御、信号受信後の一連の制御および表示変更の一連の制御）が完了した場合に、制御移行部２０９へ低減トリガを出力し、クロック部２１３が出力するクロック信号を通常状態から低速状態へ移行させる。これにより、制御低減部２１５は、通常消費状態の制御部２０５を低消費状態へ移行する。
【００４８】
通信起動部２１６は、操作部２０２の操作が行われ、その操作が信号送信を示すものである場合、通信移行部２０８へ起動トリガを出力することで、休止状態の通信部２０３を動作状態へ移行させる。
【００４９】
通信休止部２１７は、本体１０への信号の送信、または本体１０からの信号の受信が完了した場合に、通信移行部２０８へ休止トリガを出力することで、動作状態の通信部２０３を休止状態へ移行させる。
【００５０】
図２に示す起動部２０６は、通信部２０３、共振回路２０４および制御部２０５に電気的に接続されている。起動部２０６は、共振回路２０４で信号が受信された場合に、休止状態の通信部２０３を動作状態へ移行させる起動信号を、通信移行部２０８へ出力すると共に、低消費状態の制御部２０５を通常消費状態へ移行させる起動信号を、制御移行部２０９へ出力する。
【００５１】
起動部２０６は、コンデンサとダイオードとを用いた多倍電圧整流回路（倍電圧整流回路を多段重ねた回路）から構成されており、共振回路２０４で通知信号（受信指令を示す信号）が受信されると、その通知信号を整流する。そして、起動部２０６は、整流した信号を、多倍電圧整流回路で増幅する。その後、起動部２０６は、増幅した信号を起動信号として、通信移行部２０８および制御移行部２０９へ出力する。
【００５２】
ここで、起動部２０６は、能動素子ではなく受動素子で構成されているので、電力供給を受けることなく、共振回路２０４で受信した通知信号を用いて、起動信号を生成・出力することができる。
【００５３】
電池２０７は、一次電池あるいは二次電池であり、蓋２０に取り付けられるものであり、表示部２０１、通信移行部２０８および制御移行部２０９に電気的に接続される。
【００５４】
通信移行部２０８は、通信部２０３に内蔵され、電池２０７から通信部２０３への電力供給を制御する電子スイッチ（例えば、双安定マルチバイブレータ）から構成される。通信移行部２０８は、起動部２０６から出力される起動信号（トリガ）を受けると、電子スイッチを導通状態にして、電池からの電力を通信部２０３に供給する状態にして、信号の送受信が可能な動作状態へ通信部２０３を移行させる。また、通信移行部２０８は、通信起動部２１６から出力される起動トリガを受けた場合も、電子スイッチを導通状態にして、通信部２０３を、動作状態へ移行させる。
【００５５】
一方、通信移行部２０８は、通信休止部２１７から出力される休止トリガを受けると、電子スイッチを遮断状態にして、電池２０７から通信部２０３への電力供給を遮断した状態にして、信号の送受信が不可能な休止状態に通信部２０３を移行させる。
【００５６】
制御移行部２０９は、制御部２０５に内蔵され、クロック部２１３への電力供給を制御する電子スイッチ（例えば、双安定マルチバイブレータ）から構成される。制御移行部２０９は、起動部２０６から出力される起動信号（トリガ）を受けると、電池２０７から電子スイッチを導通状態にして、クロック部２１３が出力するクロック信号を低速状態から通常状態へ移行させて、制御部２０５を、低消費状態から通常消費状態へ移行させる。また、制御増加部２１４から出力されるトリガを受けた場合も、電子スイッチを導通状態にして、制御部２０５を、低消費状態から通常消費状態へ移行させる。
【００５７】
一方、制御移行部２０９は、制御移行部２０９から出力されるトリガを受けると、電子スイッチを遮断状態にして、クロック部２１３が出力するクロック信号を通常状態から低速状態へ移行させる。これにより、制御部２０５を、通常消費状態から低消費状態へ移行させる。
上述した通り、蓋２０は電池２０７から供給される電力を消費することで動作するので、本体１０へのＡＣ電源５０からの交流電流が、例えば停電等で遮断されたとしても、蓋２０は、時間等の情報を保持することができる。
【００５８】
次に、本体１０の共振回路１０４から送信される信号、言い換えれば、共振回路２０４で受信される信号を、図４を参照して説明する。
【００５９】
共振回路２０４で受信される信号に含まれるベースバンド信号、即ち、本体１０の共振回路１０４から送信される変調信号に含まれるベースバンド信号は、通知信号、データ信号および完了信号の３つの信号から構成される。
【００６０】
通知信号は、データ信号の受信指令を示す信号であると共に、起動部２０６に起動信号を生成させるための信号である。この起動信号を整流・増幅することで、起動部２０６は、通信移行部２０８および制御移行部２０９へ出力する起動信号を生成する。
【００６１】
データ信号は、例えば炊飯完了等の情報を表示部２０１に表示させるために必要となるデータを含む信号である。データ信号が制御部２０５で受信されると、制御部２０５は、受信したデータに応じた表示を表示部２０１に実行させる。
【００６２】
完了信号は、データ信号の送信が完了したことを示す信号である。完了信号が制御部２０５で受信されると、通信休止部２１７は、通信移行部２０８へ、休止命令を出力する。すると、通信移行部２０８は、通信部２０３を動作状態から休止状態へ移行させる。
【００６３】
なお、通知信号とデータ信号とに間隔があるのは、起動部２０６が通知信号から起動信号を生成して出力し、それを受信した通信移行部２０８が通信部２０３を動作状態とし、制御移行部２０９が制御部２０５を通常消費状態とするまでの時間を確保するためである。この間隔は、例えば、２ｍｓ程度である。
【００６４】
なお、図４では、本体１０の共振回路１０４から送信される変調信号に含まれるベースバンド信号について説明したが、蓋２０の共振回路２０４から送信される変調信号に含まれるベースバンド信号は、上述の通知信号を除いた、データ信号および完了信号で構成される。
【００６５】
次に、電池２０７が蓋２０に取り付けられた場合に、蓋２０の制御部２０５で実行される操作処理について、図５のフローチャートを参照して説明する。
【００６６】
まず、制御部２０５（ＣＰＵ２１１）は、操作部２０２を用いた操作があったか否かを判定する（ステップＳ１）。制御部２０５（ＣＰＵ２１１）は、操作部２０２を用いた操作があったと判定すると（ステップＳ１：Ｙｅｓ）、ステップＳ２へ移行する。
【００６７】
ステップＳ２では、制御部２０５（制御増加部２１４）は、制御部２０５が低消費状態である場合、制御移行部２０９へ増加トリガを出力し、クロック部２１３が出力する低速状態のクロック信号を通常状態へ移行させる。これにより、制御部２０５（制御増加部２１４）は、制御部２０５を、低消費状態から通常消費状態へ移行する（ステップＳ２）。
【００６８】
ステップＳ２の実行後、制御部２０５（ＣＰＵ２１１）は、表示部２０１に現在表示されている情報を、フラッシュメモリ２１２から読み出し（ステップＳ３）、操作部２０２の操作に対応した表示へ情報の変更を行い、その変更した情報を表示部２０１に表示させる（ステップＳ４）。
【００６９】
その後、制御部２０５（ＣＰＵ２１１）は、操作部２０２を用いた操作が、本体１０との通信が必要な操作であったか否かが判定される（ステップＳ５）。なお、本体１０との通信が必要な操作とは、例えば、炊飯開始操作等であり、本体１０との通信が不要な操作とは、例えば、表示部２０１に表示される時刻の調整等である。
【００７０】
制御部２０５（ＣＰＵ２１１）は、操作部２０２を用いた操作が、本体１０との通信が必要な操作であったと判定すると（ステップＳ５：Ｙｅｓ）、ステップＳ６へ移行する。
【００７１】
ステップＳ６では、制御部２０５（通信起動部２１６）は、通信移行部２０８へ起動トリガを出力し、通信部２０３を、休止状態から、電池２０７から供給される直流電力を消費可能な動作状態（共振回路２０４から信号を送信できる動作状態）に移行させる（ステップＳ６）。
【００７２】
その後、制御部２０５（ＣＰＵ２１１）は、操作部２０２を用いた操作に応じた信号を生成し、生成した信号を、バスラインＢＬを介して通信部２０３へ出力し、通信部２０３に信号を変調させて、その変調信号を、共振回路２０４を介して、本体１０へ送信し（ステップＳ７）、ステップＳ８へ移行する。
【００７３】
ステップＳ８では、制御部２０５（通信休止部２１７）は、通信移行部２０８へ休止とリガを出力し、通信部２０３を、動作状態から、電池２０７からの直流電力を遮断した休止状態（共振回路２０４から信号を送信できない休止状態）に移行させる（ステップＳ８）。その後、制御部２０５（ＣＰＵ２１１）は、ステップＳ９へ移行する。
【００７４】
なお、制御部２０５（ＣＰＵ２１１）は、ステップＳ５で、操作部２０２を用いた操作が、本体１０との通信が不要な操作であったと判定すると（ステップＳ５：Ｎｏ）、ステップＳ６〜Ｓ８をスキップして、ステップＳ９へ移行する。
【００７５】
ステップＳ９では、制御部２０５（ＣＰＵ２１１）は、電池２０７の電圧低下により、操作処理を終了する必要があるか否かを判定する。制御部２０５（ＣＰＵ２１１）は、操作処理を終了する必要がないと判定すると（ステップＳ９：Ｎｏ）、ステップＳ１へ戻る。一方、制御部２０５（ＣＰＵ２１１）は、操作処理を終了する必要があると判定すると（ステップＳ９：Ｙｅｓ）、この操作処理を終了する。
【００７６】
なお、制御部２０５（ＣＰＵ２１１）は、ステップＳ１で、操作部２０２の操作がなかったと判定すると（ステップＳ１：Ｎｏ）、操作部２０２の前回の操作から一定時間（例えば、１０秒）が経過したか否かを判定する（ステップＳ１０）。
【００７７】
制御部２０５（ＣＰＵ２１１）は、操作部２０２の前回の操作から一定時間（例えば、１０秒）が経過していないと判定すると（ステップＳ１０：Ｎｏ）、ステップＳ１へ戻る一方、操作部２０２の前回の操作から一定時間（例えば、１０秒）が経過したと判定すると（ステップＳ１０：Ｙｅｓ）、ステップＳ１１へ移行する。
【００７８】
ステップＳ１１では、制御部２０５（制御低減部２１５）は、制御部２０５が通常消費状態である場合、制御移行部２０９へ低減トリガを出力し、クロック部２１３が出力するクロック信号を通常状態から低速状態へ移行させる。これにより、制御低減部２１５は、通常消費状態の制御部２０５を低消費状態へ移行する（ステップＳ１１）。
【００７９】
このように、制御部２０５（通信休止部２１７）は、操作部２０２を用いた操作に伴う信号の本体１０への送信が完了すると、通信移行部２０８へ休止命令を出力し、通信部２０３を、動作状態から、電池２０７からの直流電力を遮断する休止状態に移行させる。また、制御部２０５（制御低減部２１５）は、操作に応じた制御が完了した場合に、クロック部２１３から出力されるクロック信号を通常状態から低速状態にして、制御部２０５を、低消費状態へ移行させる。
【００８０】
次に、共振回路２０４で通知信号が受信され、起動部２０６からの起動信号が通信移行部２０７に出力されて通信部２０３が動作状態となると共に、起動信号が通信移行部２０８に出力されて制御部２０５が通常消費状態となった場合に制御部２０５で実行される受信処理について、図６のフローチャートを参照して説明する。
【００８１】
まず、制御部２０５（ＣＰＵ２１１）は、通信部２０３を介して、本体１０から送信されたデータ信号（図４参照）を受信する（ステップＳ２１）。具体的には、制御部２０５（ＣＰＵ２１１）は、共振回路１０４で受信した信号を通信部２０３で復調させて、復調した信号であるデータ信号を受信する。
【００８２】
その後、制御部２０５（通信休止部２１７）は、通信移行部２０８へ休止トリガを出力し、通信部２０３を、動作状態から、電池２０７からの直流電力を遮断した休止状態（共振回路２０４から信号を送信できない休止状態）に移行させる（ステップＳ２２）。その後、制御部２０５（ＣＰＵ２１１）は、ステップＳ２３へ移行する。
【００８３】
ステップＳ２３の実行後、制御部２０５（ＣＰＵ２１１）は、表示部２０１に現在表示されている情報を、フラッシュメモリ２１２から読み出し（ステップＳ２３）、操作部２０２の操作に対応した表示へ情報の変更を行い、その変更した情報を表示部２０１に表示させる（ステップＳ２４）。
【００８４】
その後、制御部２０５（制御低減部２１５）は、制御移行部２０９へ低減トリガを出力し、クロック部２１３が出力するクロック信号を通常状態から低速状態へ移行させ、通常消費状態の制御部２０５を低消費状態へ移行させる（ステップＳ２５）。その後、制御部２０５（ＣＰＵ２１１）は、この受信処理を終了する。
【００８５】
次に、本体１０の共振回路１０４で蓋２０からのデータ信号を受信した場合に処理部１０５で実行されるメイン処理について、図７のフローチャートを参照して説明する。
【００８６】
まず、処理部１０５（ＣＰＵ１０６）は、通信部１０３を介して、蓋２０から送信されたデータ信号を受信する（ステップＳ４１）。
【００８７】
その後、処理部１０５（ＣＰＵ１０６）は、受信したデータ信号の示す指示が、炊飯指示であるか否かを判定する（ステップＳ４２）。処理部１０５（ＣＰＵ１０６）は、受信したデータ信号の示す指示が炊飯指示であると判定すると（ステップＳ４２：Ｙｅｓ）、インバータ部１０２を制御し、インバータ部１０２から加熱コイル１０１へ高周波電力を供給させる（ステップＳ４３）。
【００８８】
その後、処理部１０５（ＣＰＵ１０６）は、炊飯が終了したか否かを判定する（ステップＳ４４）。処理部１０５（ＣＰＵ１０６）は、炊飯が終了していないと判定すると（ステップＳ４４：Ｎｏ）、炊飯完了までの時間をデータ信号として、通信部１０３および共振回路１０４を介して、蓋２０へ送信する（ステップＳ４５）。その後、ＣＰＵ１０６は、ステップＳ４３へ移行する。なお、ステップＳ４５での炊飯完了までの時間の送信は、例えば、一分毎に定期的に行われる。
【００８９】
一方、処理部１０５（ＣＰＵ１０６）は、ステップＳ４４で、炊飯が終了したと判定すると（ステップＳ４４：Ｙｅｓ）、炊飯完了をデータ信号として、通信部１０３および共振回路１０４を介して、蓋２０へ送信する（ステップＳ４６）。その後、処理部１０５（ＣＰＵ１０６）は、このメイン処理を完了する。
【００９０】
なお、ステップＳ４２で、処理部１０５（ＣＰＵ１０６）は、受信したデータ信号の示す指示が炊飯指示でない（例えば、炊飯を中止する指示である）と判定すると（ステップＳ４２：Ｎｏ）、指示された制御（例えば、インバータ部１０２から加熱コイル１０１への高周波電力の供給停止等、炊飯を中止する制御）を実行する（ステップＳ４７）。その後、ＣＰＵ１０６は、このメイン処理を終了する。
【００９１】
上述した通り、本発明の第１の実施形態に係る電子炊飯器１によれば、蓋２０に内蔵された電池２０７から供給される直流電源により動作する通信部２０３および制御部２０５は、常時、動作状態や通常消費状態になるのではなく、必要な場合に動作状態に移行し、それ以外の場合には休止状態に移行する。よって、電子炊飯器１によれば、通信部２０３が常時、動作状態であり、制御部２０５が常時、通常消費状態であるものと比較して、電池２０７の消耗を抑制することができる。
【００９２】
また、電子炊飯器１では、蓋２０の表示部２０１に、表示する情報を変更する場合にのみ電力を使用し、表示する情報を保持する場合には電力を使用しない電気泳動式のディスプレイを使用している。この表示部２０１に表示された情報を変更する処理（ステップＳ４、ステップＳ２４参照）は、数ｍｓ程度で完了する。よって、電子炊飯器１では、制御部２０５が通常消費状態にある期間を短時間に留めることができるので、電池２０７の消耗を抑制することができる。
【００９３】
（第２の実施形態）
本発明の第２の実施形態に係る電子炊飯器２について説明する。この電子炊飯器２は、上述した第１の実施形態の電子炊飯器１の本体１０に対し、変調部１０８および共振回路１０９を加えると共に、電子炊飯器１の蓋２０に対し、充電部２１９および共振回路２２０を加え、蓋２０に使用される電池２０７を二次電池にしたものである。また、電子炊飯器１の蓋２０の制御部２０５がＲＯＭ（不図示）に記憶されたプログラムを実行することで実現される機能に対し、電池残量検出部２１８の機能を加えたものである。
【００９４】
その他の構成は、第１の実施形態の電子炊飯器１と同一である。よって、第２の実施形態の電子炊飯器２では、電子炊飯器１と異なる部分のみを説明する。
【００９５】
この電子炊飯器２によれば、電子炊飯器１と同様に、電池２０７の消耗を抑制した上で、電子炊飯器１と比較して、電池２０７の取り換え回数を低減することができる。
【００９６】
第２の実施形態の電子炊飯器２は、図８に示すブロック図となる。
【００９７】
本体１１の変調部１０８は、処理部１０５および共振回路１０９と電気的に接続されている。変調部１０８は、処理部１０５の指示により、共振回路１０９を介して蓋２１へ送信する電波を生成する。変調部１０８が生成する電波は、例えば、所定の周波数の正弦波である。
【００９８】
共振回路１０９は、変調部１０８と電気的に接続されている。共振回路１０９は、インダクタとキャパシタとを並列接続した回路より構成され、蓋２１に内蔵された後述する共振回路２２０との間で、共振を発生させ、この共振に伴う電磁誘導により電波の送信を行う。
【００９９】
蓋２１の電池２０７は、リチウムイオン電池やニッケル水素電池といった充電可能な二次電池である。電池２０７は、通信部２０３、制御部２０５、充電部２１９およびバスラインＢＬと電気的に接続される。
【０１００】
蓋２１の充電部２１９は、電池２０７および共振回路２２０と電気的に接続されている。充電部２１９は、ダイオードを有し、共振回路２２０で受信された電波（本体１１から送信された電波）をダイオードにより整流して、整流分（直流成分）を、電池２０７に充電する。
【０１０１】
共振回路２２０は、充電部２１９と電気的に接続されている。共振回路２２０は、インダクタとキャパシタとを並列接続した回路より構成され、本体１１に内蔵された共振回路１０９との間で、共振を発生させ、この共振に伴う電磁誘導により電波の受信を行う。
【０１０２】
制御部２０５は、ＣＰＵ２１１がＲＯＭに格納したプログラムを実行することにより、図９に示す通り、各部２１４〜２１７に加え、電池残量検出部２１８の機能を実現する。
【０１０３】
電池残量検出部２１８は、後述する充電処理において、バスラインＢＬを介して、電池２０７の残量（充電量）を検出する。電池残量検出部２１８は、電池２０７の残量が下限値を下回ったことを検出すると、電波の送信を本体１１へ要求する。
【０１０４】
次に、電池２０７が蓋２１に取り付けられた場合に、蓋２１の制御部２０５で実行される充電処理について、図１０のフローチャートを参照して説明する。この処理は、電池２０７へ充電を行う処理である。
【０１０５】
まず、制御部２０５（電池残量検出部２１８）は、電池２０７の残量が上限値（例えば、８０％の残量）を下回っているかを、バスラインＢＬを介して検出し、判定する（ステップＳ５１）。制御部２０５（電池残量検出部２１８）は、電池２０７の残量が上限値を下回っていると判定すると（ステップＳ５１：Ｙｅｓ）、電池２０７は充電部２１９により充電中であるか否かを判定する（ステップＳ５２）。
【０１０６】
制御部２０５（電池残量検出部２１８）は、電池２０７は既に充電中であると判定すると（ステップＳ５２：Ｙｅｓ）、ステップＳ５１へ戻る。一方、制御部２０５（電池残量検出部２１８）は、電池２０７は充電中でないと判定すると（ステップＳ５２：Ｎｏ）、電池２０７の残量が下限値（例えば、３０％の残量）も下回っているかを判定する（ステップＳ５３）。
【０１０７】
制御部２０５（電池残量検出部２１８）は、電池２０７の残量が下限値を下回っていないと判定すると（ステップＳ５３：Ｎｏ）、電池２０７への充電はまだ必要ないと判定し、ステップＳ５１へ戻る。一方、制御部２０５（電池残量検出部２１８）は、電池２０７の残量が下限値を下回っていると判定すると（ステップＳ５３：Ｙｅｓ）、ステップＳ５４へ移行する。
【０１０８】
ステップＳ５４では、電池２０７への充電が必要であると判定し、電波の送信が可能であるか否かを本体１１へ問い合わせる信号を送信する準備として、制御部２０５（制御増加部２１４）は、制御移行部２０９へ増加トリガを出力し、クロック部２１３が出力する低速状態のクロック信号を通常状態へ移行させる。これにより、制御部２０５（制御増加部２１４）は、制御部２０５を、低消費状態から通常消費状態へ移行する（ステップＳ５４）。
【０１０９】
その後、制御部２０５（通信起動部２１６）は、通信移行部２０８へ起動トリガを出力し、通信部２０３を、休止状態から、電池２０７から供給される直流電力を消費可能な動作状態（共振回路２０４から信号を送信できる動作状態）に移行させる（ステップＳ５５）。
【０１１０】
その後、制御部２０５（ＣＰＵ２１１）は、通信部２０３および共振回路２０４を介して、本体１１に交流電力が供給されているか否かを問い合わせる信号を、本体１１へ送信する（ステップＳ５６）。
【０１１１】
なお、本体１１の処理部１０５は、上述の問い合わせ信号を、共振回路１０４を介して受信すると、インバータ部１０２に供給されている交流電圧を計測し、本体１１へ交流電力がＡＣ電源５０から供給されているか否かを判定する。そして、本体１１の処理部１０５は、交流電力が本体１１へ供給されている場合、交流電流が供給されていることを示す供給信号を、通信部１０３および共振回路１０４を介して、蓋２１へ送信する。なお、交流電力が本体１１へ供給されていない場合、本体１１は動作できないので、なんらの信号も、蓋２１へ送信されない。
【０１１２】
ステップＳ５６の実行後、制御部２０５（電池残量検出部２１８）は、予め定められた期間内に、本体１１からの供給信号を受信したか否かを判定する（ステップＳ５７）。
【０１１３】
制御部２０５（電池残量検出部２１８）は、供給信号を受信すると（ステップＳ５７：Ｙｅｓ）、本体１１は電波の送信が可能であると判定し、通信部２０３および共振回路２０４を介して、電波を本体１１に送信させる充電要求信号を本体１１へ送信する（ステップＳ５６）。
【０１１４】
本体１０の処理部１０５は、上述の充電要求信号を、共振回路１０４を介して受信すると、変調部１０８に、共振回路１０９を介して電波を送信させる。
【０１１５】
ステップＳ５６の実行後、制御部２０５（通信休止部２１７）は、通信移行部２０８へ休止トリガを出力し、通信部２０３を、動作状態から、電池２０７からの直流電力を遮断した休止状態（共振回路２０４から信号を送信できない休止状態）に移行させる（ステップＳ５９）。
【０１１６】
その後、制御部２０５（制御低減部２１５）は、制御移行部２０９へ低減トリガを出力し、クロック部２１３が出力するクロック信号を通常状態から低速状態へ移行させ、通常消費状態の制御部２０５を低消費状態へ移行させ（ステップＳ６０）、ステップＳ５１へ戻る。
【０１１７】
なお、ステップＳ５７の判定で、制御部２０５（電池残量検出部２１８）は、予め定められた期間内に、本体１１からの供給信号を受信できないため（ステップＳ５７：Ｎｏ）、本体１１へ交流電力が供給中でないと判定すると、本体１１は電波の送信が不可能であると判定し、本体１１に交流電力が供給されていないことを示すメッセージを、表示部２０１に表示する（ステップＳ６１）。
【０１１８】
その後、制御部２０５（電池残量検出部２１８）は、操作部２０２を用いて、終了の操作が行われたか、或いは、電池２０７の残量が無くなったかを判定する（ステップＳ６２）。制御部２０５（電池残量検出部２１８）は、操作部２０２で終了の操作が行われておらず、且つ、電池２０７の残量もあると判定すると（ステップＳ６２：Ｎｏ）、ステップＳ５６へ戻る。
【０１１９】
一方、制御部２０５（電池残量検出部２１８）は、操作部２０２で終了の操作が行われた、または電池２０７の残量が無くなったと判定すると（ステップＳ６２：Ｙｅｓ）、この充電処理を終了する。
【０１２０】
なお、制御部２０５（電池残量検出部２１８）は、ステップＳ５１で、電池２０７の残量は、上限値以上であると判定すると（ステップＳ５１：Ｎｏ）、本体１０からの電波を受信中であるか否か、即ち、電池２０７が充電中であるか否かを判定する（ステップＳ６３）。
【０１２１】
制御部２０５（電池残量検出部２１８）は、電池２０７が充電中であると判定すると（ステップＳ６３：Ｙｅｓ）、ステップＳ６４へ移行する。
【０１２２】
ステップＳ６４では、電池２０７への充電を停止する信号を送信するための準備として、制御部２０５（制御増加部２１４）は、制御移行部２０９へ増加トリガを出力し、クロック部２１３が出力する低速状態のクロック信号を通常状態へ移行させる。これにより、制御部２０５（制御増加部２１４）は、制御部２０５を、低消費状態から通常消費状態へ移行する（ステップＳ６４）。
【０１２３】
その後、制御部２０５（通信起動部２１６）は、通信移行部２０８へ起動トリガを出力し、通信部２０３を、休止状態から、電池２０７から供給される直流電力を消費可能な動作状態（共振回路２０４から信号を送信できる動作状態）に移行させる（ステップＳ６５）。
【０１２４】
その後、制御部２０５（ＣＰＵ２１１）は、通信部２０３および共振回路２０４を介して、本体１１へ、電波の送信停止を要求する充電停止信号を、通信部２０３および共振回路２０４を介して送信する（ステップＳ６６）。
【０１２５】
なお、本体１１の処理部１０５は、上述の充電停止信号を、共振回路１０４を介して受信すると、変調部１０８からの電波の出力を停止させる。
【０１２６】
ステップＳ６６の実行後、制御部２０５（電池残量検出部２１８）は、ステップＳ５９へ移行する。
【０１２７】
なお、ステップＳ６３で、制御部２０５（電池残量検出部２１８）は、電池２０７が充電中でないと判定すると（ステップＳ６３：Ｎｏ）、電池２０７の残量は上限値以上であり、且つ、電池２０７への充電も停止されていると判定し、ステップＳ５１へ戻る。
【０１２８】
上述した第２の実施形態に係る電子炊飯器２によれば、充電部２１９および共振回路２２０を用いて、二次電池である電池２０７を充電することができる。よって、電池２０７の充電機能がない電子炊飯器１と比較して、電池２０７の取り換え回数を低減することができる。
【０１２９】
また、電子炊飯器２によれば、電子炊飯器１と同様、蓋２１に内蔵された電池２０７から供給される直流電源により動作する通信部２０３および制御部２０５は、常時、動作状態や通常消費状態になるのではなく、必要な場合に動作状態に移行し、それ以外の場合には休止状態に移行する。よって、電子炊飯器２によれば、通信部２０３が常時、動作状態であり、制御部２０５が常時、通常消費状態であるものと比較して、電池２０７の消耗を抑制することができる。
【０１３０】
（第３の実施形態）
本発明の第３の実施形態に係る電子炊飯器３について説明する。この電子炊飯器３は、上述した第１の実施形態の電子炊飯器１の本体１０に対し、蓄電部１１０およびフラッシュメモリ１１１を加えたものである。また、この電子炊飯器３は、電子炊飯器１の本体１１の処理部１０５がＲＯＭ１０７に記憶されたプログラムを実行することで実現される機能に対し、電源供給検出部１１２、実行処理記憶部１１３および実行処理再開部１１４の機能を加えたものである。
【０１３１】
その他の構成は、第１の実施形態の電子炊飯器１と同一である。よって、第３の実施形態の電子炊飯器３では、電子炊飯器１と異なる部分のみを説明する。
【０１３２】
この電子炊飯器３によれば、電子炊飯器１と同様に、電池２０７の消耗を抑制した上で、電子炊飯器１ではできなかった機能を、具体的には、本体１２への交流電力供給が途絶えた場合に、本体１２で実行中の制御内容を記憶し、再開する機能を、これまで無駄にしていた電力を用いて、実現することができる。
【０１３３】
第３の実施形態の電子炊飯器３は、図１１に示すブロック図となる。
【０１３４】
本体１２の蓄電部１１０は、処理部１０５と電気的に接続されている。蓄電部１１０は、インバータ部１０２から加熱コイル１０１へ高周波電力が供給されている場合に、加熱コイル１０１からの漏洩磁束を電気に変換し、その電気を蓄電する。また、蓄電部１１０は、本体１２へのＡＣ電源５０からの交流電力供給が途絶えた場合、蓄電した電気を処理部１０５に供給する。
【０１３５】
なお、加熱コイル１０１からの漏洩磁束とは、加熱コイル１０１で発生した磁束のうち、鍋状容器３０で渦電流として用いられなかった磁束を意味している。
【０１３６】
蓄電部１１０の構成を、図１２を参照して説明する。蓄電部１１０は、共振回路Ｋ１と、整流回路Ｋ２と、蓄電回路Ｋ３と、を備えている。
【０１３７】
共振回路Ｋ１は、インダクタＬ１とキャパシタＣ１とが並列接続された回路であり、加熱コイル１０１の漏洩磁束を交流電気に変換する。
【０１３８】
整流回路Ｋ２は、キャパシタＣ２と、キャパシタＣ３と、ダイオードＤ１と、ダイオードＤ２と、を備えた回路であり、共振回路Ｋ１で変換された交流電気を整流し、整流分（直流電力）を蓄電回路Ｋ３へ供給する回路である。
【０１３９】
整流回路Ｋ２は、キャパシタＣ２の一端がインダクタＬ１の一端およびキャパシタＣ１の一端と接続され、キャパシタＣ２の他端がダイオードＤ１のカソードおよびダイオードＤ２のアノードと接続されている。ダイオードＤ１のアノードは接地され、ダイオードＤ２のカソードは、キャパシタＣ３の一端および蓄電回路Ｋ３の一端と接続されている。キャパシタＣ３の他端および蓄電回路Ｋ３の他端は接地されている。
【０１４０】
蓄電回路Ｋ３は、整流回路Ｋ２により整流された整流分（直流電力）を蓄電する回路であり、例えば、キャパシタにより構成される。蓄電回路Ｋ３は、本体１０へのＡＣ電源５０からの交流電力供給が途絶えた場合、蓄電した直流電力を処理部１０５に供給する。
【０１４１】
処理部１０５は、図１３に示す通り、フラッシュメモリ１１１を備え、更に、ＣＰＵ１０６がＲＯＭ１０７に格納したプログラムを実行することにより、電源供給検出部１１２、実行処理記憶部１１３および実行処理再開部１１４の機能を実現する。
【０１４２】
フラッシュメモリ１１１は、本体１２への交流電力供給が途絶えた場合に、本体１０で実行中の処理を記憶する。
【０１４３】
電源供給検出部１１２は、インバータ部１０２に供給されている交流電圧を検出し、本体１２へＡＣ電源５０からの交流電力が供給されているか否かを検出する。
【０１４４】
実行処理記憶部１１３は、本体１２へ交流電力が供給されていないと電源供給検出部１１２が判定した場合に、フラッシュメモリ１１１に、本体１２で実行中の制御内容を記憶させる。
【０１４５】
実行処理再開部１１４は、本体１２へのＡＣ電源５０からの交流電力供給が再開された場合に、フラッシュメモリ１１１に記憶された制御内容を読み出し、実行中であった制御を再開させる。
【０１４６】
次に、ＡＣ電源５０からインバータ部１０２へ交流電力が供給され、インバータ部１０２から処理部１０５へ直流電力が供給されている場合（処理部１０５が動作している場合）に実行される記憶処理を、図１４を参照して説明する。この記憶処理は、処理部１０５で実行中の処理を記憶する。
【０１４７】
まず、処理部１０５（電源供給検出部１１２）は、インバータ部１０２に供給されている交流電圧を検出し、本体１２へ交流電力が供給されているか否かを判定する（ステップＳ７１）。
【０１４８】
処理部１０５（電源供給検出部１１２）は、本体１２へ交流電力が供給されていないと判定すると（ステップＳ７１：Ｎｏ）、ステップＳ７２へ移行する。
【０１４９】
ステップＳ７２では、処理部１０５（実行処理記憶部１１３）は、何らかの制御が現在実行中であるか否かを判定する（ステップＳ７２）。処理部１０５（実行処理記憶部１１３）は、何らかの制御が現在実行中であると判定すると（ステップＳ７２：Ｙｅｓ）、現在実行中の制御内容（例えば、炊飯中の制御内容）をフラッシュメモリ１１１に記憶する（ステップＳ７３）。一方、処理部１０５（実行処理記憶部１１３）は、現在実行中の制御はないと判定すると（ステップＳ７２：Ｎｏ）、ステップＳ７３をスキップする。
【０１５０】
ステップＳ７３の実行後、処理部１０５（実行処理記憶部１１３）は、ＡＣ電源５０からの交流電力の供給が遮断されたことを、通信部１０３および共振回路１０４を介して、蓋２２へ送信し（ステップＳ７４）、この記憶処理を終了する。
【０１５１】
なお、処理部１０５（実行処理記憶部１１３）は、ステップＳ７１で、本体１２へ交流電力が供給されていると判定すると（ステップＳ７１：Ｙｅｓ）、ステップＳ７５へ移行する。
【０１５２】
ステップＳ７５で、処理部１０５（実行処理記憶部１１３）は、操作部２０２で終了の操作が受け付けられたか否かを判定する（ステップＳ７５）。処理部１０５（実行処理記憶部１１３）は、終了の操作が受け付けられたと判定すると（ステップＳ７５：Ｙｅｓ）、この記憶処理を終了する。
【０１５３】
一方、処理部１０５（実行処理記憶部１１３）は、終了の操作が受け付けられていないと判定すると（ステップＳ７５：Ｎｏ）、ステップＳ７１へ戻る。
【０１５４】
次に、インバータ部１０２から処理部１０５への直流電力の供給が復帰した場合（ＡＣ電源５０からインバータ部１０２へ交流電力が供給開始された場合）に実行される復帰処理を、図１５を参照して説明する。この復帰処理は、フラッシュメモリ１１１に記憶された処理内容を読み出して、実行中であった制御に復帰する処理である。
【０１５５】
まず、処理部１０５（実行処理再開部１１４）は、ＡＣ電源５０から交流電力が供給されたことを、通信部１０３および共振回路１０４を介して、蓋２２へ送信する（ステップＳ８１）。その後、処理部１０５（実行処理再開部１１４）は、フラッシュメモリ１１１に制御内容が記憶されているか否かを判定する（ステップＳ８２）。
【０１５６】
処理部１０５（実行処理再開部１１４）は、フラッシュメモリ１１１に制御内容が記憶されていると判定すると（ステップＳ８２：Ｙｅｓ）、フラッシュメモリ１１１から制御内容を読み出し、その制御内容を用いて、ＡＣ電源５０からの交流電力が遮断される直前に実行していた制御へ復帰（再開）する（ステップＳ８３）。その後、処理部１０５（実行処理再開部１１４）は、この復帰処理を終了する。
【０１５７】
なお、処理部１０５（実行処理再開部１１４））は、フラッシュメモリ１１１に制御内容が記憶されていないと判定すると（ステップＳ８２：Ｎｏ）、ステップＳ８３をスキップして、この復帰処理を終了する。
【０１５８】
上述した第３の実施形態に係る電子炊飯器３によれば、ＡＣ電源５０から本体１２への交流電力の供給が途絶えた場合、実行処理記憶部１１３は、実行中の制御内容をフラッシュメモリ１１１に記憶させる。ここで、実行処理記憶部１１３がフラッシュメモリ１１１に制御内容を記憶させるのに必要となる電力は、加熱コイル１０１の漏洩磁束を変換した電力、即ち、これまで無駄にしていた電力である。よって、電子炊飯器３によれば、これまで無駄にしていた電力を活用して、制御再開に使用する制御内容を記憶することができる。
【０１５９】
また、電子炊飯器３によれば、電子炊飯器１と同様、蓋２２に内蔵された電池２０７から供給される直流電源により動作する通信部２０３および制御部２０５は、常時、動作状態や通常消費状態になるのではなく、必要な場合に動作状態に移行し、それ以外の場合には休止状態に移行する。よって、電子炊飯器２によれば、通信部２０３が常時、動作状態であり、制御部２０５が常時、通常消費状態であるものと比較して、電池２０７の消耗を抑制することができる。
【０１６０】
以上、本発明の実施形態を説明したが、この発明は上記の実施形態に限定されず、種々の変形および応用が可能である。
【０１６１】
例えば、上述した各実施形態では、電子炊飯器１，２，３を用いて説明を行ったが、これに限られるものではなく、例えば、加熱物を内部に閉じ込める扉が脱着可能に構成された電子レンジでもよい。この場合、電子レンジの扉を、各実施形態の蓋２０，２１，２２とし、電子レンジ本体を、各実施形態の本体１０，１１，１２とすればよい。
【０１６２】
また、第１の実施形態および第２の実施形態においては、電子炊飯器１，２に代えて、例えば、加熱物を内部に閉じ込める蓋が脱着可能に構成された電子ポットとしてもよい。或いは、蓋２０、２１を通信装置とし、本体１０，１１を、蓋２０，２１と信号の送受信を行う他の通信装置として扱うことができる装置としてもよい。
【０１６３】
また、各実施形態では、通信部１０３に接続される共振回路１０４および通信部２０３に接続される共振回路２０４は、それぞれ一対であったが、これに限られるものではなく、共振回路１０４および共振回路２０４を二対としてもよい。この構成の場合は、一対の共振回路１０４および共振回路２０４の組を送信専用とし、もう一対の共振回路１０４および共振回路２０４の組を受信専用とすることで、全二重通信を実現することができる。
【０１６４】
また、各実施形態では、本体１０，１１，１２での電力削減は行わない構成であったが、これに限られるものではなく、本体１０，１１，１２で蓋２０，２１，２２と同様の電力削減を行う構成としてもよい。この構成の場合、本体１０，１１，１２の通信部１０３を、蓋２０，２１，２２で使用した通信部２０３に代え、本体１０，１１，１２の処理部１０５を、蓋２０，２１，２２で使用した制御部２０５（実行するプログラムは処理部１０５と同じ）に代え、本体１０，１１，１２に、蓋２０，２１，２２で使用した起動部２０６を追加すればよい。その上で、蓋２０，２１，２２からデータ信号を送信する場合、蓋２０，２１，２２は、その送信前に、本体１０，１１，１２へ通知信号を送信する構成とすればよい。
【０１６５】
また、第２の実施形態では、共振回路１０４とは別に、変調部１０８に接続される共振回路１０９を設け、共振回路２０４とは別に、充電部２１９に接続される共振回路２２０を設けたが、これに限られるものではない。即ち、共振回路１０９をなくし、変調部１０８を共振回路１０４に接続し、更に、共振回路２０４をなくし、充電部２１９を共振回路２０４に接続する構成としてもよい。この構成の場合には、共振回路１０９および共振回路２２０が不要となり、本体１１および蓋２１の小型化が実現できる。
【０１６６】
また、第３の実施形態では、復帰処理は、ＡＣ電源５０からインバータ部１０２へ交流電力が供給開始された場合に実行開始される構成としたが、これに限られるものではない。即ち、ＡＣ電源５０からインバータ部１０２へ交流電力が供給開始された場合に、表示部２０１に復帰処理を実行するか否かを問い合わせるメッセージを表示し、操作部２０２により復帰処理の実行開始が受け付けられた場合に、復帰処理を実行開始する構成としてもよい。
【０１６７】
なお、上記実施形態において、電子炊飯器１，２，３を制御するプログラムは、フレキシブルディスク、ＣＤ−ＲＯＭ（Compact Disc Read−Only Memory）、ＤＶＤ（Digital Versatile Disc）、ＭＯ（Magneto−Optical Disc）等のコンピュータが読み取り可能な記録媒体に格納して配布し、そのプログラムを、コンピュータ等にインストールすることにより、図５〜図７、図１０、図１４、図１５に示す処理を実行する電子炊飯器を構成することとしてもよい。
【０１６８】
また、上述のプログラムをインターネット等の通信ネットワーク上の所定のサーバ装置が有するディスク装置等に格納しておき、例えば、搬送波に重畳させて、ダウンロード等するようにしてもよい。
【０１６９】
また、上述の図５〜図７、図１０、図１４、図１５に示す処理を、各ＯＳ（Operating System）が分担して実現する場合、又は、ＯＳとアプリケーションとの協働により実現する場合等には、ＯＳ以外の部分のみを媒体に格納して配布してもよく、また、ダウンロード等してもよい。
【０１７０】
本発明は、本発明の広義の精神と範囲を逸脱することなく、様々な実施形態及び変形が可能とされるものである。また、上述した実施形態は、本発明を説明するためのものであり、本発明の範囲を限定するものではない。すなわち、本発明の範囲は、上述した実施形態ではなく、請求の範囲によって示される。そして、請求の範囲内およびそれと同等の発明の意義の範囲内で施される様々な変形が、本発明の範囲内とみなされる。
【符号の説明】
【０１７１】
１，２，３                          電子炊飯器
１０，１１，１２                    本体
２０，２１，２２                    蓋
３０                                鍋状容器
５０                                ＡＣ電源
１０１                              加熱コイル
１０２                              インバータ部
１０３，２０３                      通信部
１０４，１０９，２０４，２２０      共振回路
１０５                              処理部
１０８                              変調部
１１０                              蓄電部
２０１                              表示部
２０２                              操作部
２０５                              制御部
２０６                              起動部
２０７                              電池
２０８                              通信移行部
２０９                              制御移行部
２１９                              充電部
【図１】
0005550623.tif 000002
【図２】
0005550623.tif 000003
【図３】
0005550623.tif 000004
【図４】
0005550623.tif 000005
【図５】
0005550623.tif 000006
【図６】
0005550623.tif 000007
【図７】
0005550623.tif 000008
【図８】
0005550623.tif 000009
【図９】
0005550623.tif 000010
【図１０】
0005550623.tif 000011
【図１１】
0005550623.tif 000012
【図１２】
0005550623.tif 000013
【図１３】
0005550623.tif 000014
【図１４】
0005550623.tif 000015
【図１５】
0005550623.tif 000016